(57)【特許請求の範囲】
【請求項１】
床面に設置される支持体と、
第一側面と前記第一側面の反対側に配置された第二側面とを有し、前記第一側面を前記支持体の側面に沿わせるように配置された複数の側部部材と、
前記支持体の上部及び前記複数の側部部材の上部に配置された座部材と、を備えた椅子であって、
前記複数の側部部材の前記第二側面は、前記椅子の側部の外郭の少なくとも一部を形成することを特徴とする椅子。
【請求項２】
前記複数の側部部材は同一形状であることを特徴とする請求項１に記載の椅子。
【請求項３】
前記側部部材の前記第二側面は、上方から下方に向かうにしたがって次第に平面視前記支持体の中央側に向かうように傾斜していることを特徴とする請求項１または２に記載の椅子。
【請求項４】
床面に設置される支持体と、
第一側面と前記第一側面の反対側に配置された第二側面とをそれぞれ有し、前記第一側面を前記支持体の側面に沿わせるようにして、選択的に配置された第一側部部材及び第二側部部材と、
前記支持体の上部及び前記第一側部部材又は前記第二側部部材の上部に、選択的に配置された第一座部材及び第二座部材とを備えた椅子システムであって、
前記第一側部部材の前記第二側面及び前記第二側部部材の前記第二側面は、上方から下方に向かうにしたがって次第に平面視前記支持体の中央側に向かうように傾斜し、
第一態様の椅子は、前記支持体と、前記第一態様の椅子の側部の外郭の少なくとも一部を形成する前記第一側部部材と、前記第一座部材と、を備え、
第二態様の椅子は、前記支持体と、前記第二態様の椅子の側部の外郭の少なくとも一部を形成する前記第二側部部材と、前記第二座部材と、を備えることを特徴とする椅子システム。
【発明の詳細な説明】
【技術分野】
【０００１】
本発明は、椅子及び椅子システムに関するものである。
【背景技術】
【０００２】
従来から、公共施設や待合室等の室内空間において、着座者が着座可能であって、背凭れや肘掛けが設けられていないスツールが知られている。このようなスツールとして、断面門型に成形された発泡スチロール樹脂製台枠と、発泡スチロール樹脂製台枠の上部に設けられた弾性発泡体及び弾性発泡板と、これら発泡スチロール樹脂製台枠、弾性発泡体及び弾性発泡板を覆う化粧シートと、を備えたものが提案されている（下記の特許文献１参照）。
【先行技術文献】
【特許文献】
【０００３】
【特許文献１】実公昭４６−８４３６号公報
【発明の概要】
【発明が解決しようとする課題】
【０００４】
しかしながら、上記に示す特許文献１に記載の椅子の一種であるスツールでは、着座者の荷重を支持する支持体が発泡スチロール樹脂で構成されているため、スツールを製造するために成形型を作る必要があり、成形型のコストがかかってしまうという問題点がある。
また、需要者等の要望に応じて、外観形状の異なる椅子を複数種類製造する場合には、それぞれの外観形状に対応した成形型が必要となり、設備コストが嵩むという問題点がある。
【０００５】
本発明は、上記事情に鑑みてなされたものであり、支持体を共通化しつつ、外観形状の異なる椅子及び椅子システムを提供するものである。
【課題を解決するための手段】
【０００６】
上記目的を達成するために、本発明は以下の手段を採用している。
すなわち、本発明に係る椅子は、床面に設置される支持体と、第一側面と前記第一側面の反対側に配置された第二側面とを有し、前記第一側面を前記支持体の側面に沿わせるように配置された複数の側部部材と、前記支持体の上部及び前記複数の側部部材の上部に配置された座部材と、を備えた椅子であって、前記複数の側部部材の前記第二側面は、前記椅子の側部の外郭の少なくとも一部を形成することを特徴とする。
【０００７】
このように構成された椅子では、側部部材の第二側面の形状を変えることにより、椅子自体の外郭の形状を異ならせることができる。よって、第二側面の反対側に配置された第一側面が配置される支持体を共通化しつつ、外観形状の異なる椅子を提供することができる。
【０００８】
また、本発明に係る椅子は、前記複数の側部部材は同一形状であることが好ましい。
【０００９】
このように構成された椅子では、側部部材は同一形状であるため、部品の種類を抑えることができる。
【００１０】
また、本発明に係る椅子は、前記側部部材の前記第二側面は、上方から下方に向かうにしたがって次第に平面視前記支持体の中央側に向かうように傾斜していてもよい。
【００１１】
このように構成された椅子では、側部部材の第二側面は、上方から下方に向かうにしたがって次第に平面視支持体の中央側に向かうように傾斜している。よって、側部部材の上部に配置される座部材の面積は支持体の下部の面積よりも大きくなるため、座部材が着座者の臀部を確実に支持することができる。
また、側部部材の第二側面側に配置される着座者の足を、上方から下方に向かうにしたがって次第に平面視支持体の中央側に向かわせるように配置させることができる。よって、着座者の足の配置場所の自由度を高めることができる。
【００１２】
また、本発明に係る椅子システムは、床面に設置される支持体と、第一側面と前記第一側面の反対側に配置された第二側面とをそれぞれ有し、前記第一側面を前記支持体の側面に沿わせるようにして、選択的に配置された第一側部部材及び第二側部部材と、前記支持体の上部及び前記第一側部部材又は前記第二側部部材の上部に、選択的に配置された第一座部材及び第二座部材とを備えた椅子システムであって、前記第一側部部材の前記第二側面及び前記第二側部部材の前記第二側面は、上方から下方に向かうにしたがって次第に平面視前記支持体の中央側に向かうように傾斜し、第一態様の椅子は、前記支持体と、前記第一態様の椅子の側部の外郭の少なくとも一部を形成する前記第一側部部材と、前記第一座部材と、を備え、第二態様の椅子は、前記支持体と、前記第二態様の椅子の側部の外郭の少なくとも一部を形成する前記第二側部部材と、前記第二座部材と、を備えることを特徴とする。
【００１３】
このように構成された椅子システムでは、第一態様の椅子は、支持体と、第一側部部材と、第一座部材と、を備えるとともに、第二態様の椅子は、支持体と、第二側部部材と、第二座部材と、を備える。よって、第一態様の椅子及び第二態様の椅子において、支持体を共通化しつつ、第一側部部材又は第二側部部材を選択し、第一座部材又は第二座部材を選択することで、外観形状の異なる椅子とすることができる。したがって、第一態様の椅子及び第二態様の椅子において、構成する部品の種類を抑えることができる。
【発明の効果】
【００１４】
本発明に係る椅子及び椅子システムによれば、支持体を共通化しつつ、外観形状の異ならせることができる。
【図面の簡単な説明】
【００１５】
【図１】本発明の一実施形態おける椅子システムの第一態様の椅子の斜視図である。
【図２】本発明の一実施形態おける椅子システムの第一態様の椅子の分解斜視図である。
【図３】本発明の一実施形態おける椅子システムの第一態様の椅子の立断面図である。
【図４】本発明の一実施形態おける椅子システムの第一態様の椅子の構成を示すために、第一側部部材の一部を取り外した状態を上から見た図である。
【図５】本発明の一実施形態おける椅子システムの第二態様の椅子の構成を示すために、第二側部部材の一部を取り外した状態を上から見た図である。
【図６】本発明の一実施形態おける椅子システムの第三態様の椅子の分解斜視図である。
【図７】本発明の一実施形態おける椅子システムの第三態様の椅子の立断面図である。
【図８】本発明の一実施形態おける椅子システムの第四態様の椅子の分解斜視図である。
【図９】本発明の一実施形態おける椅子システムの第四態様の椅子の立断面図である。
【図１０】本発明の一実施形態おける椅子システムの第五態様の椅子の分解斜視図である。
【図１１】本発明の一実施形態おける椅子システムの第五態様の椅子の立断面図である。
【発明を実施するための形態】
【００１６】
以下、椅子システムの一例として、本発明の実施形態に係るスツールシステムについて説明する。
本実施形態では、椅子の一例としてスツールを例に挙げて説明する。このスツールは、公共施設や待合室等の室内空間に設置され、利用者が着座可能であるとともに背凭れや肘掛けが設けられていないものである。そして、椅子システムとして、以下において説明する第一態様のスツールから第五態様のスツールを備えたスツールシステムを例に挙げて説明する。
【００１７】
[第一態様のスツール]
まず、第一態様のスツールについて説明する。
図１は、本発明の一実施形態おける椅子システムの第一態様の椅子の斜視図である。図２は、本発明の一実施形態おける椅子システムの第一態様の椅子の分解斜視図である。図２では、後述する張り材を省略して示している。図３は、本発明の一実施形態おける椅子システムの第一態様の椅子の立断面図である。図４は、本発明の一実施形態おける椅子システムの第一態様の椅子の構成を示すために、第一側部部材の一部を取り外した状態を上から見た図である。図４では、後述するクッション材及び張り材を省略して示している。
【００１８】
図１に示すように、第一態様のスツール１０１は、床面に設置されるベース体１と、ベース体１に支持される芯材２と、芯材２の側部に設けられた４個の分割体（側部部材、第一側部部材）３Ａと、芯材２及び分割体３Ａの上部に設けられたクッション材（座部材、第一座部材）４Ａと、分割体３Ａ及びクッション材４Ａの外周を覆う張り材５Ａと、を備えている。
【００１９】
（ベース体）
図２，３に示すように、ベース体１は、下面を形成するスカート部１１と、スカート部１１の上部に配置されたベース板１２と、スカート部１１に取り付けられた高さ調整可能な複数のアジャスタ１３と、を有している。
【００２０】
スカート部１１は、平面視円形状に形成された支持板部１１Ａと、支持板部１１Ａの縁部から下方に延びる内壁部１１Ｂと、を有している。さらに、スカート部１１は、内壁部１１Ｂの下端から平面視スツール１０１の中央側から外側（以下、単に「外側」と称することがある。）に延びる底壁部１１Ｃと、底壁部１１Ｃの端部から上方に向かって立ち上がる外壁部１１Ｄと、を有している。外壁部１１Ｄの上端１１Ｅは、支持板部１１Ａの上面１１Ｕと略同一の高さに位置している。
本実施形態では、スカート部１１は、樹脂により構成されている。また、支持板部１１Ａと、内壁部１１Ｂと、底壁部１１Ｃと、外壁部１１Ｄとは一体に形成されている。
【００２１】
支持板部１１Ａの平面視中央には、上下方向に貫通する空気孔１１Ｋが形成されている。空気孔１１Ｋは、平面視円形状に形成されている。
【００２２】
支持板部１１Ａには、後述するベース板１２を取り付けるための取付孔１１Ｘが設けられている。また、支持板部１１Ａには、アジャスタ１３を取り付けるためのアジャスタ取付部１１Ｙが設けられている。これら取付孔１１Ｘ及びアジャスタ取付部１１Ｙは、互いに離間してそれぞれ４箇所ずつ設けられている。
なお、取付孔１１Ｘ及びアジャスタ取付部１１Ｙの個数は、４個に限られず適宜選択可能である。
【００２３】
ベース板１２は、平面視円形状に形成されている。このベース板１２は、スカート部１１の支持板部１１Ａの上部に、後述する張り材５Ａの端部を介在させて配置されている。本実施形態では、ベース板１２は、合板により構成されている。
【００２４】
ベース板１２の平面視中央には、上下方向に貫通する空気孔１２Ｋが形成されている。空気孔１２Ｋは、平面視円形状に形成されている。
【００２５】
アジャスタ１３の先端のネジ部が、スカート部１１の支持板部１１Ａに設けられたアジャスタ取付部１１Ｙに螺合されている。これにより、アジャスタ１３は、平面視スカート部１１の外壁部１１Ｄ及び内壁部１１Ｂよりもスカート部１１の中央側に取り付けられている。
なお、高さ調整が可能なアジャスタ１３の代わりに、床面に設置され支持板部１１Ａ等に固定された固定脚（不図示。以下同じ。）や、床面上で走行移動自在なキャスター（不図示。以下同じ。）等を適宜採用することができる。また、固定脚やキャスターの個数は、適宜選択可能である。
【００２６】
（芯材）
芯材２は、ベース体１のベース板１２の上部に設けられている。芯材２は、円柱状に形成されるとともに、平面視中央には上下方向に貫通する空気孔２Ｋが形成されている。空気孔２Ｋは、平面視円形状に形成されている。芯材２の空気孔２Ｋ、ベース板１２の空気孔１２Ｋ及びスカート部１１の空気孔１１Ｋは、上下方向に連通するように配置されている。これにより、着座者が着座した際には、芯材２の空気孔２Ｋ、ベース板１２の空気孔１２Ｋ、スカート部１１の空気孔１１Ｋの順に、上方から下方への空気の流れを形成することができる。また、着座者が立った際には、スカート部１１の空気孔１１Ｋ、ベース板１２の空気孔１２Ｋ、芯材２の空気孔２Ｋの順に、下方から上方への空気の流れを形成することができる。よって、スツール１０１に着座者の荷重が作用したり、作用していた荷重が取り除かれた場合に、スツール１０１の変形を防止することができる。なお、これら空気孔２Ｋ，１２Ｋ，１１Ｋの大きさは、空気の抜け具合（流通量）等により適宜設定される。
【００２７】
本実施形態では、芯材２は例えば発泡スチロール等の発砲樹脂や、ブロー成形により成形された樹脂等により構成されているため、芯材２を軽量にすることができる。
【００２８】
芯材２の側面２Ａは曲面状に形成されている。芯材２の上面２Ｂは、環状に形成されている。
【００２９】
芯材２の下部には、ベース板１２の形状に対応して上方に凹む嵌合凹部２Ｄが形成されている。この嵌合凹部２Ｄにベース板１２が嵌合するように配置されている。これにより、芯材２は、ベース体１に対して位置決めがされ、上下方向及び水平方向へずれることがない。
本実施形態では、ベース体１と芯材２とが支持体を構成している。
【００３０】
（分割体）
４個の分割体３Ａは、互いに同一形状であるとともに、芯材２の側面２Ａに等間隔に設けられている。分割体３Ａは、芯材２の側面２Ａに沿って配置される内面（第一側面）３１Ａと、内面３１Ａの反対側に配置された外面（第二側面）３２Ａと、内面３１Ａの上端と外面３２Ａの上端とを連結する上面３３Ａと、を有している。本実施形態では、分割体３Ａは、例えば発泡スチロール等の発砲樹脂や、モールド成形により成形された樹脂等により構成されている。
【００３１】
分割体３Ａの外面３２Ａは、上方から下方に向かうにしたがって次第に平面視スツール１０１の外側から中央側に向かって傾斜している。
【００３２】
分割体３Ａの内面３１Ａと上面３３Ａとにより形成される内辺３４Ａは、芯材２の上面２Ｂの外周に対応した円弧状に形成されている。分割体３Ａの外面３２Ａと上面３３Ａとにより形成される外辺３５Ａは、後述するクッション材４Ａの外周に対応した形状に形成されている。つまり外辺３５Ａは、円弧上に形成された円弧部３６Ａと、円弧部３６Ａの両端からそれぞれ直線状に延びる直線部３７Ａ，３８Ａと、を有している。直線部３７Ａの延長線と、直線部３８Ａの延長線とは、略直角に交差するようになっている。
【００３３】
図１，４に示すように、芯材２及び芯材２の側面２Ａに設けられた分割体３Ａにより形成されたスツール１０１の外郭は、平面視において、上部では後述するクッション材４Ａに対応した矩形状に近い形状をなし、下部ではベース体１に対応した円形状に近い形状をなしている。
【００３４】
（クッション材）
図２，３に示すように、クッション材４Ａは、平面視矩形状をなすとともに、四隅が円弧状に形成されている。クッション材４Ａは、芯材２の上面２Ｂ及び分割体３Ａの上面３３Ａを覆うように設けられている。本実施形態では、クッション材４Ａはウレタンにより構成されている。
【００３５】
（張り材）
張り材５Ａは、内被材５１Ａと、内被材５１Ａの外側に設けられた伸縮性を有する外被材５２Ａと、を有している。本実施形態では、内被材５１Ａは、ウレタンが所望の形状に切断されたスラブウレタンにより構成されている。また、外被材５２Ａは、ストレッチニットで構成されている。
【００３６】
この張り材５Ａは、芯材２、分割体３Ａ及びクッション材４Ａを覆うように設けられている。張り材５Ａの端部５３Ａは、ベース板１２の下面１２Ｃに固定されるとともに、ベース板１２及び芯材２の下部の外周部２Ｅとスカート部１１の支持板部１１Ａの上面１１Ｕとの間に挟み込まれている。支持板部１１Ａに形成された取付孔１１Ｘから、螺子１１Ｚが挿通されベース板１２に螺合されている。これにより、張り材５Ａの端部５３Ａが、ベース板１２及び芯材２の下部の外周部２Ｅとスカート部１１の支持板部１１Ａの上面１１Ｕとの間に取り付けられている。
なお、張り材５Ａと芯材２、分割体３Ａ及びクッション材４Ａとは、接着剤（不図示）等により接着されていてもよい。
また、張り材５Ａの端部５３Ａのベース板１２への固定方法としては、タッカー（不図示）等により針（不図示）で留める方法を採用することができる。または、張り材５Ａを端部５３Ａに、内縁に沿って延びる筒状の挿通部（不図示。以下同じ。）を形成する。この挿通部に可撓性の針金等の紐条体（不図示。以下同じ。）を挿通して、紐条体を緊張させる。そして、ベース板１２に形成された溝（不図示）に紐条体を挿入して、下方からスカート部１１で押さえる方法を採用することもできる。または、張り材５Ａの端部５３Ａをベース板１２の下面１２Ｃへ接着剤（不図示）により接着する方法を採用することもできる。
【００３７】
[第二態様のスツール]
次に、第二態様のスツールから第五態様のスツールについて、順に説明する。第二態様のスツールから第五態様のスツールと、第一態様のスツール１０１とでは、ベース体１及び芯材２が共通とされている。
以下に説明する第二から第五態様のスツールにおいては、上記に示す第一態様のスツール１０１と共通する構成については図中に同符号を付してその説明を省略する。
【００３８】
まず、第二態様のスツールについて、主に図５を用いて説明する。
図５は、本実施形態おけるスツールシステムの第二態様のスツールの構成を示すために、分割体の一部を取り外した状態を上から見た図である。図５では、クッション材及び張り材を省略して示している。
図５に示すように、第二態様のスツール１０２は、ベース体１（図１参照）と、芯材２と、３個の分割体（第二側部部材）３Ｂと、クッション材（第二座部材）４Ｂと、張り材（不図示、以下同じ。）と、を備えている。
【００３９】
３個の分割体３Ｂは、互いに同一形状であるとともに、芯材２の側面２Ａに等間隔に設けられている。分割体３Ｂの外面３２Ｂは、上方から下方に向かうにしたがって次第に平面視スツール１０２の外側から中央に向かって傾斜している。
【００４０】
クッション材４Ｂは、平面視三角形状に形成されている。張り材は、芯材２、分割体３Ｂ及びクッション材４Ｂを覆うように設けられている。
【００４１】
芯材２及び芯材２の側面２Ａに配置された分割体３Ｂにより形成されたスツール１０２の外郭は、平面視において、上部ではクッション材４Ｂに対応した三角形状に近い形状をなし、下部ではベース体１（図２参照）に対応した円形状に近い形状をなしている。
【００４２】
[第三態様のスツール]
次に、第三態様のスツールについて、主に図６，７を用いて説明する。
図６は、本実施形態おけるスツールシステムの第三態様のスツールの分解斜視図である。図７は、本実施形態おけるスツールシステムの第三態様のスツールの立断面図である。
図６，７に示すように、第三態様のスツール１０３は、ベース体１と、芯材２と、４個の分割体３Ｃと、クッション材４Ｃと、張り材５Ｃと、を備えている。
【００４３】
４個の分割体３Ｃは、互いに同一形状であるとともに、芯材２の側面２Ａに等間隔に設けられている。分割体３Ｃの外面３２Ｃは、上方から下方に向かうにしたがって次第に平面視スツール１０３の中央側から外側に向かって傾斜している。
【００４４】
クッション材４Ｃは、平面視円形状に形成されている。張り材５Ｃは、芯材２、分割体３Ｃ及びクッション材４Ｃを覆うように設けられている。
【００４５】
芯材２及び芯材２の側面２Ａに配置された分割体３Ｃにより形成されたスツール１０３の外郭は、平面視において、上部ではクッション材４Ｃに対応した円形状に近い形状をなし、下部では矩形状に近い形状をなしている。
【００４６】
[第四態様のスツール]
次に、第四三態様のスツールについて、主に図８，９を用いて説明する。
図８は、本実施形態おけるスツールシステムの第四態様のスツールの分解斜視図である。図９は、本実施形態おけるスツールシステムの第四態様のスツールの立断面図である。
図８,９に示すように、第四態様のスツール１０４は、ベース体１と、芯材２と、４個の分割体３Ｄと、クッション材４Ｄと、張り材５Ｄと、を備えている。
【００４７】
４個の分割体３Ｄは、互いに同一形状であるとともに、芯材２の側面２Ａに等間隔に設けられている。分割体３Ｄの外面３２Ｄは、上下方向に延びている。
【００４８】
芯材２及び芯材２の側面２Ａに配置された分割体３Ｄにより形成されたスツール１０４の外郭は、直方体状に近い形状をなしている。
【００４９】
クッション材４Ｄは、平面視矩形状に形成されている。張り材５Ｄは、芯材２、分割体３Ｄ及びクッション材４Ｄを覆うように設けられている。
【００５０】
[第五態様のスツール]
次に、第五態様のスツールについて、主に図１０，１１を用いて説明する。
図１０は、本実施形態おけるスツールシステムの第五態様のスツールの分解斜視図である。図１１は、本実施形態おけるスツールシステムの第五態様のスツールの立断面図である。
図１０，１１に示すように、第五態様のスツール１０５は、ベース体１と、芯材２と、４個の分割体３Ｅと、クッション材４Ｅと、張り材５Ｅと、を備えている。
【００５１】
４個の分割体３Ｅは、互いに同一形状であるとともに、芯材２の側面２Ａに等間隔に設けられている。分割体３Ｅの外面３２Ｅは、上下端から上下方向中央側に向かうにしたがって次第に平面視スツール１０５の中央側から外側に向かって傾斜している。
【００５２】
クッション材４Ｅは、平面視円形状に形成されている。張り材５Ｅは、芯材２、分割体３Ｅ及びクッション材４Ｅを覆うように設けられている。
【００５３】
芯材２及び芯材２の側面２Ａに配置された分割体３Ｅにより形成されたスツール１０５の外郭は、平面視において、上部でクッション材４Ｅに対応した円形状に近い形状をなし、下部ではベース体１に対応した円形状に近い形状をなしている。
【００５４】
このように構成されたスツールシステムでは、ベース体１及び芯材２を共通として、分割体３Ａ〜３Ｅの形状を選択することにより、スツール１０１〜１０５自体の外郭の形状の異なる第一態様から第五態様のスツール１０１〜１０５を提供することができる。各態様のスツール１０１〜１０５において、ベース体１及び芯材２を共通化できるため、スツール１０１〜１０５を構成する部品の種類を抑えることができる。
【００５５】
また、第一態様のスツール１０１において、複数の分割体３Ａは同一形状であり、同様に第二態様から第五態様のスツール１０２〜１０５においても、各態様のスツールを構成する分割体は同一形状である。よって、部品の種類を抑えることができる。
【００５６】
また、分割体３Ａの外面３２Ａは、上方から下方に向かうにしたがって次第に平面視スツール１０１の外側から中央側に向かうように傾斜している。よって、分割体３Ａの上部に設けられるクッション材４Ａの面積はベース体１の面積よりも大きくなるため、クッション材４Ａが着座者の臀部を確実に支持することができる。
【００５７】
また、分割体３Ａの外面３２Ａ側に配置される着座者の足を、上方から下方に向かうにしたがって次第に平面視スツール１０１の中央側に向かわせるように配置させることができる。よって、着座者の足の配置場所の自由度を高めることができる。
【００５８】
また、アジャスタ１３が、スカート部１１の外壁部１１Ｄ及び内壁部１１Ｂよりも、平面視スツール１０１〜１０５の中央側に設けられているため、利用者の足や物品等がアジャスタ１３に当たることがないとともに、アジャスタ１３が損傷、破損することがない。また、外部から見た際に、スカート部１１の外壁部１１Ｄ及び内壁部１１Ｂで隠れてアジャスタ１３を視認できないため、デザイン性に優れたスツール１０１〜１０５を提供することができる。
【００５９】
また、分割体３Ａが樹脂で構成されている場合でも、芯材２が共通化されているため、芯材２よりも小さい分割体３Ａ〜３Ｅの成形型を用意すれば、外観形状の異なる５種類のスツール１０１〜１０５を製造することができる。よって、設備コストを抑えることができる。
【００６０】
これ以外にも、本発明の主旨を逸脱しない限り、上記実施の形態で挙げた構成を取捨選択したり、他の構成に適宜変更したりすることが可能である。
【００６１】
例えば、上記に示す実施形態においては、支持体は円柱状に形成されているが本発明はこれに限られない。例えば、ベース体や芯材等の支持体及びクッション材の平面視の形状は、円形状に限られず、矩形状、三角形状、多角形状等であってもよい。
【００６２】
また、上記に示す実施形態においては、スツールシステムは、第一態様から第五態様のスツール１０１〜１０５まで５態様のスツールを備えているが、本発明はこれに限られない。１態様のスツールのみであってもよい。または、２〜４態様のスツール、または６態様以上のスツールで構成されていてもよい。
【００６３】
また、上記に示す実施形態においては、芯材２の側面２Ａには、複数の分割体３Ａが配置されているが、本発明はこれに限られない。
例えば、複数の分割体３Ａが連結され一体とされた側部部材（不図示）が、芯材２の側面２Ａを覆う構成であってもよい。この場合には、一体とされた側部部材を、芯材２の上方又は下方から芯材２に被せれば、芯材２の側面２Ａに一体とされた側部部材が配置される。
あるいは、一の分割体３Ａのみが、芯材２の側部に配置される構成であってもよい。
【００６４】
また、上記に示す実施形態においては、各態様のスツールシステムで、複数の分割体は同一形状とされているが、本発明はこれに限られない。複数の分割体の形状がそれぞれ異なっていてもよい。
【００６５】
また、上記に示す実施形態においては、椅子の一例としてスツールを例に挙げて説明したが、本発明はこれに限られない。座部に背凭れの設けられた椅子にも適用可能である。
【００６６】
また、上記に示す実施形態においては、張り材５Ａが連続して形成されているが、本発明はこれに限られない。クッション材４Ａを覆い上面をなす部分と、分割体３Ａの側方に配置され側面をなす部分とが別々に構成され、互いに接合されたものであってもよい。
【符号の説明】
【００６７】
１…ベース体（支持体）
２…芯材（支持体）
２Ａ…芯材２の側面（支持体の側面）
３Ａ…分割体（側部部材、第一態様の椅子の支持体）
３Ｂ…分割体（側部部材、第二態様の椅子の支持体）
４Ａ…クッション材（座部材、第一態様の椅子の座部材）
４Ｂ…クッション材（座部材、第一態様の椅子の座部材）
５Ａ…張り材
１１…スカート部
３１Ａ…内面（第一側面、第一態様の椅子の第一側面）
３１Ｂ…内面（第一側面、第二態様の椅子の第一側面）
３２Ａ…外面（第二側面、第一態様の椅子の第二側面）
３２Ｂ…外面（第二側面、第二態様の椅子の第二側面）
１０１…第一態様のスツール
１０２…第二態様のスツール
１０３…第三態様のスツール
１０４…第四態様のスツール
１０５…第五態様のスツール
【図１】
0006433057.tif 000002
【図２】
0006433057.tif 000003
【図３】
0006433057.tif 000004
【図４】
0006433057.tif 000005
【図５】
0006433057.tif 000006
【図６】
0006433057.tif 000007
【図７】
0006433057.tif 000008
【図８】
0006433057.tif 000009
【図９】
0006433057.tif 000010
【図１０】
0006433057.tif 000011
【図１１】
0006433057.tif 000012